(57)【要約】  ディスク装置に、サブシャフト３１２Ａと、このサブシャフト３１２Ａを支持するサブシャフト支持部３１３と、光ピックアップを保持する保持部本体と、この保持部本体にサブシャフト摺接面３２４Ａ２１が対向する状態で配置された一対の係合摺接部３２４Ａ２と、を設けている。サブシャフト３１２Ａを、断面Ｄ１が真円以外の形状であり、かつ、最大外径寸法Ｌ１１が摺接面間距離Ｌ０よりも大きい形状に形成して、サブシャフト支持部３１３により、サブシャフト３１２Ａを回転可能に支持させている。
2008062517.tif 000002
【特許請求の範囲】
【請求項１】
ディスク状の記録媒体を保持する記録媒体保持装置にて保持された前記記録媒体の径方向に略沿って光ピックアップを案内する光ピックアップ案内装置であって、
略棒状に形成されたガイド部材を有するガイド部と、
このガイド部の前記ガイド部材を支持するガイド支持部と、
前記光ピックアップを保持し、移動手段の駆動に伴い前記光ピックアップの案内方向に移動可能に設けられた保持部本体と、
この保持部本体の移動時に前記ガイド部材の周面に摺接するガイド部材摺接面を有し、このガイド部材摺接面が前記ガイド部材を介して略対向する状態で前記保持部本体に設けられた一対のガイド部材摺接部と、
を具備し、
前記ガイド部材は、軸と直交する断面が真円以外の形状であり、かつ、前記断面の最大径寸法が前記略対向するガイド部材摺接面間の距離よりも大きい略棒状に形成され、前記一対のガイド部材摺接部の間において前記軸を中心に回転可能に前記ガイド支持部で支持された
ことを特徴とした光ピックアップ案内装置。
【請求項２】
請求項１に記載の光ピックアップ案内装置であって、
前記ガイド部材は、前記軸と直交する断面が楕円形状の前記略棒状に形成された
ことを特徴とした光ピックアップ案内装置。
【請求項３】
請求項１に記載の光ピックアップ案内装置であって、
前記ガイド部材は、軸と直交する断面が真円形状の丸棒状に形成された複数の丸軸部材を互いの軸方向が平行となる状態で固定することにより、前記略棒状に形成された
ことを特徴とした光ピックアップ案内装置。
【請求項４】
請求項１ないし請求項３のいずれかに記載のピックアップ案内装置であって、
前記ガイド部材に一体的に設けられ、前記ガイド部材を回転させる際に操作される操作部材を具備した
ことを特徴とした光ピックアップ案内装置。
【請求項５】
請求項１ないし請求項３のいずれかに記載の光ピックアップ案内装置であって、
前記ガイド部材を回転させる状態に付勢する回転付勢手段を具備した
ことを特徴とした光ピックアップ案内装置。
【請求項６】
請求項５に記載の光ピックアップ案内装置であって、
前記ガイド部は、軸と直交する断面が真円以外の形状の略棒状に形成され前記ガイド部材の少なくともいずれか一方の端部から前記ガイド部材の軸方向に突出する状態で設けられたガイド端突出部を備え、
前記回転付勢手段は、
前記ガイド端突出部の周面に摺接可能な位置に設けられたガイド端摺接部材と、
このガイド端摺接部材と略対向する位置に設けられ、前記ガイド端突出部の周面を前記ガイド端摺接部材に接近する方向に付勢して、前記ガイド端突出部を前記ガイド端摺接部材に摺接させつつ回転させる付勢部材と、を備えた
ことを特徴とした光ピックアップ案内装置。
【請求項７】
請求項５に記載の光ピックアップ案内装置であって、
前記回転付勢手段は、
前記ガイド部材の少なくともいずれか一方の端部近傍の周面に摺接可能な位置に設けられたガイド端摺接部材と、
このガイド端摺接部材と略対向する位置に設けられ、前記ガイド部材の周面を前記ガイド端摺接部材に接近する方向に付勢して、前記ガイド部材を前記ガイド端摺接部材に摺接させつつ回転させる付勢部材と、を備えた
ことを特徴とした光ピックアップ案内装置。
【請求項８】
請求項６または請求項７に記載の光ピックアップ案内装置であって、
前記付勢部材は、ばねである
ことを特徴とした光ピックアップ案内装置。
【請求項９】
請求項６ないし請求項８のいずれかに記載の光ピックアップ案内装置であって、
前記回転付勢手段は、
前記付勢部材および前記周面の間に設けられ、これらに当接した状態で前記ガイド端摺接部材に接離する方向に移動可能な中間移動部材を備えた
ことを特徴とした光ピックアップ案内装置。
【請求項１０】
ディスク状の記録媒体を収納可能なケース体と、
このケース体の前記記録媒体の収納位置近傍に設けられ、前記記録媒体を保持する記録媒体保持装置と、
光ピックアップと、
前記記録媒体保持装置にて保持された前記記録媒体の径方向に略沿って前記光ピックアップを案内する請求項１ないし請求項９のいずれかに記載の光ピックアップ案内装置と、
この光ピックアップ案内装置の前記保持部本体を前記光ピックアップの案内方向に移動させる移動手段と、
を具備したことを特徴としたディスク装置。
【請求項１１】
略棒状に形成されたガイド部材を有するガイド部と、このガイド部の前記ガイド部材を支持するガイド支持部と、光ピックアップを保持し、移動手段の駆動に伴い前記光ピックアップの案内方向に移動可能に設けられた保持部本体と、この保持部本体の移動時に前記ガイド部材の周面に摺接するガイド部材摺接面を有し、このガイド部材摺接面が前記ガイド部材を介して略対向する状態で前記保持部本体に設けられた一対のガイド部材摺接部と、を具備し、ディスク状の記録媒体を保持する記録媒体保持装置にて保持された前記記録媒体の径方向に略沿って前記光ピックアップを案内する光ピックアップ案内装置の製造方法であって、
前記ガイド部材を、その軸と直交する断面が真円以外の形状であり、かつ、前記断面の最大径寸法が前記一対のガイド部材摺接部のガイド部材摺接面間の距離よりも大きい略棒状に形成して、前記一対のガイド部材摺接部の間において前記軸を中心に回転可能に前記ガイド支持部で支持させた後に、その周面が前記略対向する前記ガイド部材摺接面に当接して回転不可能な状態となるまで回転させる
ことを特徴とする光ピックアップ案内装置の製造方法。
【発明の詳細な説明】
【技術分野】
【０００１】
本発明は、光ピックアップを案内する光ピックアップ案内装置、その製造方法、および、ディスク装置に関する。
【背景技術】
【０００２】
従来、光ピックアップを搬送する構成が知られている。（例えば、特許文献１、および、特許文献２参照）。【０００３】
特許文献１に記載のものは、ピックアップが搭載されるスライド部材の軸受部付近に、板ばねを設けている。
そして、この板ばねをサブガイド軸に圧接させ、スライド部材をサブガイド軸に押し付けることにより、スライド部材の軸受部と、サブガイド軸との間の隙間によるがたつきを防止する構成が採られている。【０００４】
特許文献２に記載のものは、ピックアップが搭載されるスライド部材の係合部に、第１の板ばねおよび第２の板ばねからなる付勢部材を設けている。第１の板ばねを、サブガイド軸の周面のうち、フォーカス方向の一方に位置する部分に弾接させている。また、第２の板ばねを、サブガイド軸の周面のうち、フォーカス方向と直交する方向の一方に位置する部分に弾接させている。
そして、第１の板ばねにより、係合部の当接壁がサブガイド軸の周面に向けて押圧されることにより、この当接壁とサブガイド軸との間でフォーカス方向のがたつきがない状態にする。さらに、第２の板ばねにより、係合部および２つの軸受部がメインガイド軸の周面に向けて押圧されることにより、これら軸受部とメインガイド軸との間で光ディスクの記録面と平行方向でのがたつきがない状態にする構成が採られている。【０００５】
【特許文献１】特開２００２−１１７６３４号公報
【特許文献２】特開２００５−１３５４６３号公報
【発明の開示】
【発明が解決しようとする課題】
【０００６】
しかしながら、上述したような特許文献１および特許文献２のような構成では、ピックアップを保持する部材に板ばねを設けているため、この保持する部材の構成の重量化や大型化を招いてしまい、ピックアップの案内に影響を及ぼすおそれがあるという問題点が一例として挙げられる。【０００７】
本発明は、光ピックアップを適切に案内可能な光ピックアップ案内装置、その製造方法、および、ディスク装置を提供することを１つの目的とする。
【課題を解決するための手段】
【０００８】
本発明の光ピックアップ案内装置は、ディスク状の記録媒体を保持する記録媒体保持装置にて保持された前記記録媒体の径方向に略沿って光ピックアップを案内する光ピックアップ案内装置であって、略棒状に形成されたガイド部材を有するガイド部と、このガイド部の前記ガイド部材を支持するガイド支持部と、前記光ピックアップを保持し、移動手段の駆動に伴い前記光ピックアップの案内方向に移動可能に設けられた保持部本体と、この保持部本体の移動時に前記ガイド部材の周面に摺接するガイド部材摺接面を有し、このガイド部材摺接面が前記ガイド部材を介して略対向する状態で前記保持部本体に設けられた一対のガイド部材摺接部と、を具備し、前記ガイド部材は、軸と直交する断面が真円以外の形状であり、かつ、前記断面の最大径寸法が前記略対向するガイド部材摺接面間の距離よりも大きい略棒状に形成され、前記一対のガイド部材摺接部の間において前記軸を中心に回転可能に前記ガイド支持部で支持されたことを特徴とする。【０００９】
本発明のディスク装置は、ディスク状の記録媒体を収納可能なケース体と、このケース体の前記記録媒体の収納位置近傍に設けられ、前記記録媒体を保持する記録媒体保持装置と、光ピックアップと、前記記録媒体保持装置にて保持された前記記録媒体の径方向に略沿って前記光ピックアップを案内する上述した光ピックアップ案内装置と、この光ピックアップ案内装置の前記保持部本体を前記光ピックアップの案内方向に移動させる移動手段と、を具備したことを特徴とする。【００１０】
本発明の光ピックアップ案内装置の製造方法は、略棒状に形成されたガイド部材を有するガイド部と、このガイド部の前記ガイド部材を支持するガイド支持部と、光ピックアップを保持し、移動手段の駆動に伴い前記光ピックアップの案内方向に移動可能に設けられた保持部本体と、この保持部本体の移動時に前記ガイド部材の周面に摺接するガイド部材摺接面を有し、このガイド部材摺接面が前記ガイド部材を介して略対向する状態で前記保持部本体に設けられた一対のガイド部材摺接部と、を具備し、ディスク状の記録媒体を保持する記録媒体保持装置にて保持された前記記録媒体の径方向に略沿って前記光ピックアップを案内する光ピックアップ案内装置の製造方法であって、前記ガイド部材を、その軸と直交する断面が真円以外の形状であり、かつ、前記断面の最大径寸法が前記一対のガイド部材摺接部のガイド部材摺接面間の距離よりも大きい略棒状に形成して、前記一対のガイド部材摺接部の間において前記軸を中心に回転可能に前記ガイド支持部で支持させた後に、その周面が前記略対向する前記ガイド部材摺接面に当接して回転不可能な状態となるまで回転させることを特徴とする。
【図面の簡単な説明】
【００１１】
【図１】本発明の第１実施形態に係るディスク装置の内部構成を示す平面図である。
【図２】前記第１実施形態におけるサブシャフト部およびサブシャフト支持部の概略構成を示す平面図である。
【図３】図２のIII−III線に沿った断面図である。
【図４】図２のIV−IV線に沿った断面図である。
【図５】図３のV−V線に沿った断面図である。
【図６】前記第１実施形態におけるサブシャフトの支持初期状態を示す断面図である。
【図７】前記第１実施形態におけるサブシャフトの支持完了状態を示す断面図である。
【図８】本発明の第２実施形態に係るサブシャフト部およびサブシャフト支持部をサブシャフトの周面側から見た状態を示す模式図である。
【図９】前記第２実施形態におけるサブシャフト部およびサブシャフト支持部をサブシャフトの一端側から見た状態を示す模式図である。
【図１０】本発明の他の実施形態に係るサブシャフト部、サブシャフト支持部、および、操作部材の概略構成を示す平面図である。
【図１１】本発明のさらに他の実施形態に係るサブシャフト部、サブシャフト支持部、および、回転付勢手段をサブシャフトの周面側から見た状態を示す模式図である。
【図１２】図１１のXII−XIIに沿った断面図である。
【図１３】本発明のさらに他の実施形態に係るサブシャフト部およびサブシャフト支持部をサブシャフトの周面側から見た状態を示す模式図である。
【図１４】前記さらに他の実施形態におけるサブシャフト部およびサブシャフト支持部をサブシャフトの一端側から見た状態を示す模式図である。
【図１５】本発明のさらに他の実施形態におけるサブシャフト部およびサブシャフト支持部をサブシャフトの一端側から見た状態を示す模式図である。
【図１６】本発明のさらに他の実施形態に係るサブシャフトの支持初期状態を示す断面図である。
【図１７】前記さらに他の実施形態におけるサブシャフトの支持完了状態を示す断面図である。
【図１８】本発明のさらに他の実施形態に係るサブシャフトの支持初期状態を示す断面図である。
【図１９】前記さらに他の実施形態におけるサブシャフトの支持完了状態を示す断面図である。
【図２０】本発明のさらに他の実施形態に係るサブシャフトの支持初期状態を示す断面図である。
【図２１】前記さらに他の実施形態におけるサブシャフトの支持完了状態を示す断面図である。
【図２２】本発明のさらに他の実施形態に係るサブシャフトの支持初期状態を示す断面図である。
【図２３】前記さらに他の実施形態におけるサブシャフトの支持完了状態を示す断面図である。
【符号の説明】
【００１２】
１００…ディスク装置
１１０…ケース体
２３０…記録媒体保持装置としてのターンテーブル
３１２，４１０，４４０，５０１…光ピックアップ案内装置を構成するガイド部としてのサブシャフト部
３１２Ａ，５００Ａ，５００Ｂ，５００Ｃ，５００Ｄ…ガイド部材としてのサブシャフト
３１３，４５０，５０２…光ピックアップ案内装置を構成するガイド支持部としてのサブシャフト支持部
３１４…移動手段であるピックアップ移動手段
３２１…光ピックアップ案内装置を構成する保持部本体
３２４Ａ２…光ピックアップ案内装置を構成するガイド部材摺接部としての係合摺接部
３２４Ａ２１…ガイド部材摺接面としてのサブシャフト摺接面
３３０…光ピックアップ
４１１…ガイド端突出部としての付勢側端突出部
４２０，４８０，４９０…光ピックアップ案内装置を構成する回転付勢手段としても機能するガイド支持部としてのサブシャフト支持部
４２２，４６３，４９３…付勢部材としてのコイルばね
４２５…ガイド端摺接部材としての上方規制部材
４６０…光ピックアップ案内装置を構成する回転付勢手段
４６１…ガイド端摺接部材としての側方移動規制部材
４６２…中間移動部材
４８１Ａ…ガイド端摺接部材としての移動規制基部
４８２…付勢部材としての板ばね
４９４…ガイド端摺接部材としての止めねじ
５００Ｄ１…丸軸部材
５０３…光ピックアップ案内装置を構成する操作部材
【発明を実施するための最良の形態】
【００１３】
［第１実施形態］
以下、本発明に係る第１実施形態を図面に基づいて説明する。【００１４】
〔ディスク装置の構成〕
まず、本発明の第１実施形態に係るディスク装置を図面に基づいて説明する。
図１は、本発明の第１実施形態に係るディスク装置の内部構成を示す平面図である。図２は、サブシャフト部およびサブシャフト支持部の概略構成を示す平面図である。図３は、図２のIII−III線に沿った断面図である。図４は、図２のIV−IV線に沿った断面図である。図５は、図３のV−V線に沿った断面図である。【００１５】
図１において、１００は、本発明の第１実施形態に係るディスク装置であり、このディスク装置１００は、例えば携帯型のパーソナルコンピュータなどの電気機器に装着されるいわゆるスリムディスク装置（或いはスリムディスクドライブ）と称されるものである。このディスク装置１００は、着脱可能に装着される面状の記録媒体、例えばＣＤ（Compact Disc）やＤＶＤ（Digital Versatile Disc）あるいはＢＤ（Blu-ray Disc：ブルーレイディスク）またはＨＤ−ＤＶＤ（High Definition DVD）などにおける少なくとも一面に設けられた図示しない記録面に記録された情報を読み出す情報処理である読取処理および記録面へ各種情報を記録する情報処理である記録処理の少なくとも一方の処理をする。
そして、ディスク装置１００は、ケース体１１０を備えている。【００１６】
ケース体１１０は、底部側の下ケース１１１と天面側の図示しない上ケースとにより構成され、内部に空間を有する略四角箱状に形成されている。このケース体１１０は、一面側に開口部１１２を有している。そして、ケース体１１０内には、トレイ部１２０と、このトレイ部１２０の開口部１１２を介した進退移動を案内するレール部１３０と、トレイ部１２０の進退移動をケース体１１０内にロックする図示しないロック機構と、ディスク装置１００の動作の制御などを実施する図示しない制御回路部とが設けられている。【００１７】
トレイ部１２０は、トレイ１２１を備えている。このトレイ１２１は、例えば合成樹脂などにて形成された略板状に形成され、ケース体１１０の開口部１１２から進出自在に設けられている。
また、トレイ１２１の一縁側には、トレイ１２１がケース体１１０内部に収納された状態で、ケース体１１０の開口部１１２を閉塞する化粧板１２２が設けられている。
さらに、トレイ１２１の上面側には、記録媒体としての図示しない光ディスクの径寸法より若干大きい円弧状凹部１２３が設けられている。また、トレイ１２１には、化粧板１２２側の一端部から円弧状凹部１２３の略中心に向かってディスク処理部２００が設けられている。【００１８】
レール部１３０は、ケース体１１０の開口部１１２からトレイ１２１の進退方向に沿って配設され、トレイ１２１の両側面に沿って設けられている。このレール部１３０は、ケース体１１０に固定される一対のレール１３１と、トレイ１２１に摺動可能に設けられるレールガイド１３２と、を備えている。【００１９】
レール１３１は、開口部１１２の左右両端からケース体１１０の奥側に向かって延出して形成されている。これらのレール１３１は、互いに対向する面が開口する断面略コ字状の凹溝を備えて形成され、この凹溝にそれぞれレールガイド１３２が摺動自在に支持されている。また、レール１３１には、図示しない摺動規制部が設けられており、レールガイド１３２の摺動範囲を規制している。すなわち、レール１３１の摺動規制部は、開口部１１２側にレールガイド１３２が移動した際に、レールガイド１３２が凹溝から外れて抜け落ちるのを防止している。【００２０】
レールガイド１３２はトレイ１２１の両側面にそれぞれ設けられており、前述したように、レール１３１の凹溝に摺動可能に保持されている。また、レールガイド１３２は、トレイ１２１に対して摺接自在に取り付けられている。また、トレイ１２１には、図示しない移動規制部が設けられており、この移動規制部によりレールガイド１３２は摺動範囲を規制され、トレイ１２１がレールガイド１３２からの抜け落ちを防止している。【００２１】
トレイ部１２０に設けられたディスク処理部２００は、例えば金属板にて略板状に形成され一端が揺動自在にトレイ１２１に支持された台座部２１０を有している。この台座部２１０は、トレイ１２１の化粧板１２２側の一端部から、中心位置に向かって長手に形成されている。また、台座部２１０には、長手方向に沿って、長手状の処理開口部２１１が略中央に切欠形成されている。そして、台座部２１０の処理開口部２１１の一端側にディスク回転駆動手段２２０が配設されている。【００２２】
ディスク回転駆動手段２２０は、図示しないスピンドルモータと、このスピンドルモータの出力軸に一体的に設けられた記録媒体保持装置としてのターンテーブル２３０と、を備えている。スピンドルモータは、制御回路部に制御可能に接続され、制御回路部から供給される電力により駆動する。ターンテーブル２３０は、トレイ１２１の略中心部に設けられるとともに光ディスクを回転可能に保持する。【００２３】
また、台座部２１０には、情報処理部３００が設けられている。この情報処理部３００は、処理移動部３１０と、ピックアップ保持部３２０と、光ピックアップ３３０と、などを備えている。【００２４】
処理移動部３１０は、メインシャフト部３１１と、図示しないメインシャフト支持部と、ガイド部としてのサブシャフト部３１２と、ガイド支持部としてのサブシャフト支持部３１３（図２参照）と、移動手段であるピックアップ移動手段３１４と、を備えている。【００２５】
メインシャフト部３１１は、メインシャフト３１１Ａなどを備えている。
メインシャフト３１１Ａは、例えばステンレスなどにより丸棒状に形成されている。
メインシャフト支持部は、台座部２１０におけるメインシャフト３１１Ａの長手方向両端側に対応する位置に設けられ、メインシャフト３１１Ａを軸方向がピックアップ保持部３２０の移動方向と一致する状態で支持する。【００２６】
サブシャフト部３１２は、図１〜図３に示すように、ガイド部材としてのサブシャフト３１２Ａと、一対のサブシャフト端突出部３１２Ｂと、を備えている。【００２７】
サブシャフト３１２Ａは、例えばステンレスなどにより、図４に示すように、軸と直交する断面Ｄ１が略楕円形状であり、この断面Ｄ１の最大外径寸法Ｌ１１が後述するサブシャフト摺接面３２４Ａ２１間の距離Ｌ０（以下、摺接面間距離Ｌ０と称す）よりも大きく、かつ、最小外径寸法Ｌ１２が摺接面間距離Ｌ０よりも小さい略楕円棒状に形成されている。具体的には、サブシャフト３１２Ａの断面Ｄ１は、互いに対向する一対の直線部３１２Ａ１と、これら直線部３１２Ａ１の両端側に互いに対向する状態で設けられた一対の半円部３１２Ａ２と、にて、一対の半円部３１２Ａ２の円弧方向中央間の寸法である最大外径寸法Ｌ１１が摺接面間距離Ｌ０よりも大きく、かつ、一対の直線部３１２Ａ１間の寸法である最小外径寸法Ｌ１２が摺接面間距離Ｌ０よりも小さい形状に形成されている。【００２８】
サブシャフト端突出部３１２Ｂは、図２、図３、および、図５に示すように、軸と直交する断面Ｄ２が丸形状の丸棒状に形成され、サブシャフト３１２Ａの軸方向両端から突出する状態で設けられている。【００２９】
サブシャフト支持部３１３は、例えば略コ字板状に形成され、台座部２１０に設けられた支持部基部３１３Ａを備えている。この支持部基部３１３Ａは、略長方形板状の長手部３１３Ａ１と、この長手部３１３Ａ１の長手方向の一端側から面外方向へ突出する第１突出部３１３Ａ２と、長手部３１３Ａ１の長手方向の他端側から第１突出部３１３Ａ２と同方向へ突出する第２突出部３１３Ａ３と、にて略コ字板状に形成されている。【００３０】
第１突出部３１３Ａ２の一面には、略四角ブロック状の第１支持部３１３Ｂが設けられている。この第１支持部３１３Ｂには、第１突出部３１３Ａ２に取り付けられる第１取付面３１３Ｂ１と対向する第２取付面３１３Ｂ２から第１取付面３１３Ｂ１近傍にかけて、ばね嵌合溝３１３Ｂ３が設けられている。このばね嵌合溝３１３Ｂ３には、第１取付面３１３Ｂ１側に位置する状態で、コイルばね３１３Ｈが嵌合される。
また、第１支持部３１３Ｂにおける第２突出部３１３Ａ３側の側面３１３Ｂ４には、第２取付面３１３Ｂ２から第１取付面３１３Ｂ１近傍にかけて、軸係合開口部３１３Ｂ５が開口形成されている。この軸係合開口部３１３Ｂ５は、幅寸法がサブシャフト端突出部３１２Ｂの径寸法よりも若干大きい形状を有している。そして、軸係合開口部３１３Ｂ５には、コイルばね３１３Ｈの第２取付面３１３Ｂ２側に位置する状態で、サブシャフト端突出部３１２Ｂが係合される。【００３１】
また、第１支持部３１３Ｂの第２取付面３１３Ｂ２には、板状に形成された第１ねじ取付部３１３Ｃが設けられている。この第１ねじ取付部３１３Ｃには、ねじ孔３１３Ｃ１が設けられている。そして、この第１ねじ取付部３１３Ｃは、ねじ孔３１３Ｃ１の中心がばね嵌合溝３１３Ｂ３の中心と略一致する状態で、例えば台座部２１０に取り付けられている。
また、ねじ孔３１３Ｃ１には、止めねじ３１３Ｊが、その先端部３１３Ｊ１がサブシャフト端突出部３１２Ｂに当接する状態で螺合される。また、止めねじ３１３Ｊの基端面３１３Ｊ２には、例えば六角レンチが係合されるレンチ係合溝３１３Ｊ３が設けられている。【００３２】
第２突出部３１３Ａ３の一面には、略四角ブロック状に形成され、第１支持部３１３Ｂと略等しい構成を有する第２支持部３１３Ｄが設けられている。この第２支持部３１３Ｄは、第１取付面３１３Ｄ１が第２突出部３１３Ａ３に取り付けられる。また、第２支持部３１３Ｄには、コイルばね３１３Ｈが嵌合されるばね嵌合溝３１３Ｄ３と、サブシャフト端突出部３１２Ｂが係合される軸係合開口部３１３Ｄ５と、が設けられている。【００３３】
また、第２支持部３１３Ｄの第２取付面３１３Ｄ２には、板状に形成された第２ねじ取付部３１３Ｅが設けられている。この第２ねじ取付部３１３Ｅには、止めねじ３１３Ｊが螺合されるねじ孔３１３Ｅ１が設けられている。そして、この第２ねじ取付部３１３Ｅは、ねじ孔３１３Ｅ１の中心がばね嵌合溝３１３Ｄ３の中心と略一致する状態で、例えば第２支持部３１３Ｄに取り付けられている。【００３４】
そして、サブシャフト支持部３１３は、サブシャフト端突出部３１２Ｂが止めねじ３１３Ｊおよびコイルばね３１３Ｈで狭持される状態で設けられることにより、サブシャフト３１２Ａをその軸を中心に回転可能に支持する。つまり、サブシャフト支持部３１３は、サブシャフト３１２Ａおよびサブシャフト摺接面３２４Ａ２１の間に隙間Ｋ（図６参照）が形成される支持初期状態と、隙間Ｋがなくなりピックアップ保持部３２０の移動方向と直交する方向（図４における上下方向）へのがたつきが防止される図４や後述する図７に示すような支持完了状態と、でサブシャフト３１２Ａを適宜支持する。
また、サブシャフト支持部３１３は、サブシャフト３１２Ａをメインシャフト３１１Ａと軸方向が一致する状態で支持する。
さらに、ターンテーブル２３０や光ピックアップ３３０の傾きなどに応じて、止めねじ３１３Ｊの螺合状態およびコイルばね３１３Ｈの付勢により、第１，第２支持部３１３Ｂ，３１３Ｄに支持されたサブシャフト端突出部３１２Ｂの位置が適宜調整されて、サブシャフト３１２Ａの軸方向も調整される。【００３５】
ピックアップ移動手段３１４は、図１に示すように、外周面に螺旋状の係合溝３１４Ｂ１が設けられたリードスクリュ３１４Ｂが図示しないモータ軸に設けられた電動用モータ３１４Ａを備えている。そして、リードスクリュ３１４Ｂは、メインシャフト３１１Ａの近傍において、サブシャフト３１２Ａと反対側に、かつ、軸方向がメインシャフト３１１Ａの軸方向と一致する状態で設けられている。【００３６】
ピックアップ保持部３２０は、メインシャフト３１１Ａおよびサブシャフト３１２Ａを架橋する状態で設けられた略長方形板状の保持部本体３２１を備えている。この保持部本体３２１の長手方向の一端には、メインシャフト３１１Ａが挿通可能なシャフト軸受孔３２２Ａを有する２個のメインシャフト受部３２２と、リードスクリュ３１４Ｂの係合溝３１４Ｂ１に係合される２個の規制爪３２３Ａを有する移動規制部３２３と、が設けられている。また、保持部本体３２１の長手方向の他端には、サブシャフト受部３２４が設けられている。【００３７】
サブシャフト受部３２４は、図２および図４に示すように、サブシャフト３１２Ａが係合可能な断面コ字状のシャフト係合部３２４Ａを有している。このシャフト係合部３２４Ａは、保持部本体３２１に固定された係合基部３２４Ａ１と、この係合基部３２４Ａ１から保持部本体３２１の面外方向へ突出する状態で設けられた一対のガイド部材摺接部としての係合摺接部３２４Ａ２と、にて、断面コ字状に形成されている。図４に示すように、係合摺接部３２４Ａ２における互いに対向する面は、ガイド部材摺接面としてのサブシャフト摺接面３２４Ａ２１とされている。そして、係合摺接部３２４Ａ２は、サブシャフト摺接面３２４Ａ２１の面方向が平行となり、かつ、サブシャフト摺接面３２４Ａ２１が摺接面間距離Ｌ０だけ離れた状態で設けられている。【００３８】
なお、サブシャフト部３１２と、サブシャフト支持部３１３と、保持部本体３２１と、係合摺接部３２４Ａ２と、にて、本発明の光ピックアップ案内装置が構成されている。【００３９】
光ピックアップ３３０は、保持部本体３２１の略中央に光ディスクに臨む状態でそれぞれ設けられた、図示しない光源と、ピックアップレンズ３３１と、光センサと、を備えている。【００４０】
制御回路部は、ディスク処理部２００の動作を制御して、例えば情報処理部３００に光ディスクの情報読込処理や情報書込処理を実施させたりする。また、制御回路部は、ターンテーブル２３０の回転動作や、情報処理部３００の移動動作、台座部２１０の動作などをも制御する。さらに、制御回路部は、化粧板１２２に設けられたイジェクトボタンから入力されるイジェクト命令信号を制御回路部に出力する。【００４１】
〔処理移動部の製造方法〕
次に、ディスク装置１００を構成する処理移動部３１０の製造方法について説明する。
図６は、サブシャフトの支持初期状態を示す断面図である。図７は、サブシャフトの支持完了状態を示す断面図である。【００４２】
まず、作業者は、所定の作業を実施して、シャフト軸受孔３２２Ａにメインシャフト３１１Ａが挿通され、規制爪３２３Ａがリードスクリュ３１４Ｂの係合溝３１４Ｂ１に係合する状態で、台座部２１０に、メインシャフト部３１１、メインシャフト支持部、ピックアップ移動手段３１４などを取り付ける。また、サブシャフト端突出部３１２Ｂを、サブシャフト支持部３１３で支持させる。【００４３】
そして、直線部３１２Ａ１に対応する面がサブシャフト摺接面３２４Ａ２１に対向する状態で、サブシャフト３１２Ａをシャフト係合部３２４Ａに係合させ、サブシャフト支持部３１３を台座部２１０に取り付ける。このように、最小外径寸法Ｌ１２となる部分をサブシャフト摺接面３２４Ａ２１に対向させることにより、すなわち、サブシャフト３１２Ａにおける一対のサブシャフト摺接面３２４Ａ２１に対向する部分間の寸法Ｌ１３（以下、対向部分寸法Ｌ１３と称す）が最小外径寸法Ｌ１２と等しくなる状態にすることにより、サブシャフト３１２Ａをより容易に係合できる。
この後、作業者が手を離すと、図６に示すように、サブシャフト３１２Ａの直線部３１２Ａ１に対応する面と、上方に位置する係合摺接部３２４Ａ２のサブシャフト摺接面３２４Ａ２１と、が当接して、サブシャフト３１２Ａの下方に隙間Ｋが形成される支持初期状態となる。このとき、サブシャフト３１２Ａは、サブシャフト支持部３１３にて回転可能に支持されている。また、この支持初期状態では、上述したように対向部分寸法Ｌ１３が最小外径寸法Ｌ１２と等しくなっている。【００４４】
この後、作業者がサブシャフト３１２Ａを回転させると、サブシャフト３１２Ａにおけるサブシャフト摺接面３２４Ａ２１との当接部分が、直線部３１２Ａ１から半円部３１２Ａ２へ移動して、対向部分寸法Ｌ１３が支持初期状態よりも長くなる。また、対向部分寸法Ｌ１３が長くなると、隙間Ｋが小さくなる。
そして、サブシャフト３１２Ａをさらに回転させて、図７に示すように、対向部分寸法Ｌ１３が摺接面間距離Ｌ０と等しくなると、つまりサブシャフト３１２Ａの周面が一対のサブシャフト摺接面３２４Ａ２１に当接して回転不可能になると、隙間Ｋがなくなる支持完了状態となり、処理移動部３１０の製造が終了する。【００４５】
〔第１実施形態の作用効果〕
上述したように、上記第１実施形態では、ディスク装置１００に、サブシャフト３１２Ａと、このサブシャフト３１２Ａを支持するサブシャフト支持部３１３と、光ピックアップ３３０を保持する保持部本体３２１と、この保持部本体３２１にサブシャフト摺接面３２４Ａ２１が対向する状態で配置された一対の係合摺接部３２４Ａ２と、を設けている。さらに、サブシャフト３１２Ａを、断面Ｄ１が略楕円形状つまり真円以外の形状であり、かつ、最大外径寸法Ｌ１１が摺接面間距離Ｌ０よりも大きい形状に形成している。そして、サブシャフト支持部３１３により、サブシャフト３１２Ａを回転可能に支持している。
このため、上述したように、サブシャフト３１２Ａを、サブシャフト摺接面３２４Ａ２１との間に隙間Ｋが形成されるようにシャフト係合部３２４Ａに係合させた後に、回転不可能となる状態まで回転させることにより、隙間Ｋをなくす状態にすることができる。したがって、ピックアップ保持部３２０の移動方向と直交する方向へのがたつきを防止するために、従来の構成のように光ピックアップ３３０を保持する保持部本体３２１に特別な構成を設ける必要がないので、ピックアップ保持部３２０の重量化や大型化を招くことがない。よって、光ピックアップ３３０の案内に影響を及ぼすことがなく、光ピックアップ３３０を適切に案内できる。【００４６】
そして、ディスク装置１００に、上述したような光ピックアップ３３０を適切に案内できる構成を設けているので、ピックアップレンズ３３１と光ディスクとの距離を適切に保つことができ、情報処理を適切に実施できる。【００４７】
［第２実施形態］
次に、本発明に係る第２実施形態を図面に基づいて説明する。【００４８】
〔サブシャフト部およびサブシャフト支持部の構成〕
この第２実施形態では、第１実施形態で例示したディスク装置１００に適用可能なサブシャフト部およびサブシャフト支持部を例示して説明する。なお、第１実施形態と同一の構成については、同一名称および同一符号を付し説明を省略する。
図８は、本発明の第２実施形態に係るサブシャフト部およびサブシャフト支持部をサブシャフトの周面側から見た状態を示す模式図である。図９は、サブシャフト部およびサブシャフト支持部をサブシャフトの一端側から見た状態を示す模式図である。【００４９】
図８および図９に示すような、光ピックアップ案内装置を構成するガイド部としてのサブシャフト部４１０、および、光ピックアップ案内装置を構成する回転付勢手段としても機能するガイド支持部としてのサブシャフト支持部４２０は、上述したように、第１実施形態のサブシャフト部３１２、および、サブシャフト支持部３１３の代わりに適用されるものである。【００５０】
サブシャフト部４１０は、サブシャフト３１２Ａと、このサブシャフト３１２Ａの軸方向一端から突出するサブシャフト端突出部３１２Ｂ（図示省略）と、サブシャフト３１２Ａの軸方向他端から突出するガイド端突出部としての付勢側端突出部４１１と、を備えている。
付勢側端突出部４１１は、図９に示すように、軸と直交する面Ｄ３が略細長長方形状に形成されている。具体的には、付勢側端突出部４１１の面Ｄ３は、互いに対向する一対の直線部４１１Ａと、これら直線部４１１Ａの両端側に互いに対向する状態で設けられた一対の半円部４１１Ｂと、にて、略細長長方形状に形成されている。また、付勢側端突出部４１１は、直線部４１１Ａが延びる方向と、サブシャフト３１２Ａの直線部３１２Ａ１が延びる方向と、が交差する状態で設けられている。【００５１】
サブシャフト支持部４２０は、サブシャフト端突出部３１２Ｂを回動可能に支持する図示しない支持部本体と、側方移動規制部材４２１と、付勢部材としてのコイルばね４２２と、上方移動規制部４２３と、を備えている。【００５２】
側方移動規制部材４２１は、長方形板状の移動規制基部４２１Ａと、この移動規制基部４２１Ａの一側縁から面方向と直交する方向へ突出する第１移動規制側部４２１Ｂと、移動規制基部４２１Ａの他側縁から第１移動規制側部４２１Ｂと同一方向へ突出する第２移動規制側部４２１Ｃと、にて、断面コ字状に形成されている。
第１移動規制側部４２１Ｂは、幅寸法が移動規制基部４２１Ａの幅寸法と等しい長方形板状に形成されている。また、第２移動規制側部４２１Ｃは、幅寸法が移動規制基部４２１Ａの幅寸法よりも長い長方形板状に形成されている。
そして、側方移動規制部材４２１は、移動規制基部４２１Ａが、台座部２１０に一体的に設けられた板状の取付部２１０Ａに固定されている。具体的には、側方移動規制部材４２１は、移動規制基部４２１Ａおよび第１，第２移動規制側部４２１Ｂ，４２１Ｃで囲まれる部分のみにサブシャフト３１２Ａが位置し、かつ、第２移動規制側部４２１Ｃに対向する位置に付勢側端突出部４１１のみが位置する状態で、固定されている。【００５３】
コイルばね４２２は、側方移動規制部材４２１の第２移動規制側部４２１Ｃに対向し、かつ、付勢側端突出部４１１の下方の位置に、伸縮方向が移動規制基部４２１Ａの面方向と略直交する状態で設けられている。【００５４】
上方移動規制部４２３は、ねじ部材４２４と、ガイド端摺接部材としての上方規制部材４２５と、を備えている。
ねじ部材４２４は、図示しないドライバが係合可能なドライバ係合溝を有するねじ頭部４２４Ａと、取付部２１０Ａの螺合孔２１０Ａ１に螺合されるねじ軸部４２４Ｂと、を備えている。
上方規制部材４２５は、ねじ軸部４２４Ｂに挿通可能な図示しない挿通孔を略中央に有する円板状の規制部材基部４２５Ａを備えている。この規制部材基部４２５Ａにおける軸方向一端側の周縁には、鍔状に突出する状態で鍔部４２５Ｂが設けられている。この上方規制部材４２５は、鍔部４２５Ｂが付勢側端突出部４１１の上方に位置する状態で、挿通孔にねじ軸部４２４Ｂが挿通され、このねじ軸部４２４Ｂと螺合孔２１０Ａ１との螺合により取り付けられる。【００５５】
〔サブシャフト部およびサブシャフト支持部の動作〕
次に、サブシャフト部４１０およびサブシャフト支持部４２０の動作について説明する。【００５６】
サブシャフト部４１０は、サブシャフト端突出部３１２Ｂが支持部本体の図示しない軸端係合溝に係合し、側方移動規制部材４２１のコ字状で囲まれる部分にサブシャフト３１２Ａが位置し、かつ、コイルばね４２２および上方規制部材４２５の間に付勢側端突出部４１１が位置する状態で設けられることにより、サブシャフト支持部４２０で回転可能に支持される。このとき、付勢側端突出部４１１は、一方の半円部４１１Ｂがコイルばね４２２に当接し、他方の半円部４１１Ｂが上方規制部材４２５に当接する状態で設けられる。【００５７】
このようにサブシャフト部４１０がサブシャフト支持部４２０に支持されると、一方の半円部４１１Ｂがコイルばね４２２により上方に付勢されて移動する。さらに、一方の半円部４１１Ｂが上方へ移動すると、他方の半円部４１１Ｂが上方規制部材４２５に摺接しつつねじ部材４２４に近づく方向に移動して、付勢側端突出部４１１およびサブシャフト３１２Ａは、図９の矢印Ｙ１で示す方向へ回転し始め、サブシャフト３１２Ａの周面が一対のサブシャフト摺接面３２４Ａ２１に当接して、上述した支持完了状態になるまで回転する。【００５８】
〔第２実施形態の作用効果〕
上述したように、上記第２実施形態では、上記第１実施形態と同様の作用効果に加え、以下のような作用効果を奏することができる。【００５９】
すなわち、サブシャフト支持部４２０に、サブシャフト３１２Ａを回転させる状態に付勢する機能を設けている。
このため、作業者の手作業によりサブシャフト３１２Ａを支持完了状態まで回転させる必要がなく、ディスク装置１００の製造性を向上できる。さらに、例えばディスク装置１００を長期間使用することにより、サブシャフト３１２Ａが摩耗したとしても、この摩耗状態に対応してサブシャフト３１２Ａを自動的に回転させることにより、支持完了状態を維持することができる。したがって、第１実施形態の構成と比べて、ディスク装置１００を長期間使用した際の調整回数を減らすことができる。【００６０】
そして、サブシャフト３１２Ａに、軸と直交する面Ｄ３が真円以外の形状に形成された付勢側端突出部４１１を設けている。さらに、サブシャフト支持部４２０に、付勢側端突出部４１１の上方に設けられた上方規制部材４２５と、付勢側端突出部４１１の下方に設けられたコイルばね４２２と、を設けている。
このため、コイルばね４２２で付勢側端突出部４１１を上方へ付勢して、上方規制部材４２５に摺接させつつ矢印Ｙ１の方向へ回転させることにより、サブシャフト３１２Ａを支持完了状態まで回転させることができる。したがって、付勢側端突出部４１１を一方向へ付勢するだけの簡単な構成で、サブシャフト３１２Ａを回転させることができる。【００６１】
また、付勢側端突出部４１１を上方へ付勢する構成として、コイルばね４２２を適用している。
このため、一般的に調達が容易でかつ安価なコイルばね４２２を適用することにより、製造コストの上昇を最小限に抑えることができる。【００６２】
［実施形態の変形］
なお、本発明は、上述した第１，第２実施形態に限定されるものではなく、本発明の目的を達成できる範囲で以下に示される変形をも含むものである。【００６３】
すなわち、第１実施形態のサブシャフト部３１２およびサブシャフト支持部３１３の代わりに、図１０に示すような構成を適用してもよい。
この図１０に示す構成では、光ピックアップ案内装置を構成するガイド部としてのサブシャフト部５０１は、サブシャフト３１２Ａと、このサブシャフト３１２Ａの軸方向一端から突出するサブシャフト端突出部３１２Ｂと、サブシャフト３１２Ａの軸方向他端から突出する操作側端突出部５０１Ａと、を備えている。操作側端突出部５０１Ａは、サブシャフト端突出部３１２Ｂよりも長い丸棒状に形成されている。
光ピックアップ案内装置を構成するガイド支持部としてのサブシャフト支持部５０２は、１個の支持部本体３１３Ａと、略長方形箱状に形成された１個の操作側支持部本体５０２Ａと、を備えている。操作側支持部本体５０２Ａの略中央には、操作側端突出部５０１Ａが挿通可能な軸端挿通孔５０２Ｂが設けられている。【００６４】
そして、サブシャフト部５０１は、サブシャフト端突出部３１２Ｂが軸端係合溝３１３Ｂに係合し、かつ、操作側端突出部５０１Ａが軸端挿通孔５０２Ｂに挿通されることにより、サブシャフト支持部５０２で回転可能に支持される。また、操作側端突出部５０１Ａは、その先端が操作側端突出部５０１Ａから突出する状態で設けられる。そして、この突出した先端には、例えば略円柱状に形成され周面に凹部５０３Ａが形成された光ピックアップ案内装置を構成する操作部材５０３が一体的に設けられる。
このような構成にすれば、操作部材５０３を操作することにより、サブシャフト３１２Ａを回転させることができ、支持初期状態から支持完了状態まで移行させる作業を容易にできる。【００６５】
また、第２実施形態のサブシャフト部４１０およびサブシャフト支持部４２０の代わりに、図１１および図１２に示すような構成を適用してもよい。
この図１１および図１２に示すような光ピックアップ案内装置を構成するガイド部としてのサブシャフト部４４０は、サブシャフト３１２Ａのみで構成されている。
光ピックアップ案内装置を構成するガイド支持部としてのサブシャフト支持部４５０は、略長方形箱状に形成された一対の支持部本体４５１（一方のみを図示）を備えている。この支持部本体４５１の一面の略中央には、サブシャフト３１２Ａが回転可能な状態で係合可能な軸端係合溝４５１Ａが設けられている。【００６６】
光ピックアップ案内装置を構成する回転付勢手段４６０は、ガイド端摺接部材としての側方移動規制部材４６１（図１１では図示省略）と、中間移動部材４６２と、付勢部材としてのコイルばね４６３と、を備えている。ここで、回転付勢手段４６０が設けられる台座部２１０には、上下方向に立設する壁部２１０Ｂと、この壁部２１０Ｂの下端から左右方向に延出する板状の取付部２１０Ｃと、が設けられている。また、壁部２１０Ｂには、取付部２１０Ｃと同一方向に突出するばね配置部２１０Ｄが設けられている。さらに、取付部２１０Ｃには、幅寸法が後述する中間係合部４６２Ｂの幅寸法よりも大きいスリット２１０Ｅが設けられている。【００６７】
側方移動規制部材４６１は、略長方形板状に形成され、取付部２１０Ｃの上面に立設する状態で固定されている。
中間移動部材４６２は、略長方形板状の中間基部４６２Ａを備えている。この中間基部４６２Ａの一面側の略中央には、上方に向けて突出する中間係合部４６２Ｂが一体的に形成されている。さらに、この中間係合部４６２Ｂの突出方向先端には、中間基部４６２Ａよりも大きい略長方形板状に形成され、面方向が中間基部４６２Ａの面方向と平行となる状態で設けられた突出部４６２Ｃが一体的に形成されている。さらに、この突出部４６２Ｃの上面における中間係合部４６２Ｂに対応する位置には、略長方形板状に形成され、一面が側方移動規制部材４６１と対向する状態で立設された中間当接部４６２Ｄが一体的に形成されている。
この中間移動部材４６２は、中間係合部４６２Ｂがスリット２１０Ｅに係合され、かつ、このスリット２１０Ｅの周縁部分が中間基部４６２Ａおよび突出部４６２Ｃの間に位置する状態で設けられることにより、中間当接部４６２Ｄが側方移動規制部材４６１に対向し、かつ、側方移動規制部材４６１に接離する方向に移動することが可能となる。
コイルばね４６３は、ばね配置部２１０Ｄの上面に、伸縮方向が中間移動部材４６２の移動方向と一致する状態で設けられている。【００６８】
そして、サブシャフト部４４０は、サブシャフト３１２Ａの両端側が軸端係合溝４５１Ａに係合することにより、サブシャフト支持部４５０で回転可能に支持される。このとき、サブシャフト３１２Ａは、一方の半円部３１２Ａ２が側方移動規制部材４６１に、他方の半円部３１２Ａ２が中間移動部材４６２にそれぞれ当接し、コイルばね４６３により側方移動規制部材４６１に近づく方向に付勢される。
このように、サブシャフト部４４０が回転付勢手段４６０で付勢されると、一対の半円部３１２Ａ２が側方移動規制部材４６１および中間移動部材４６２に摺接しつつ図１２の矢印Ｙ２で示す方向へ回転し始め、サブシャフト３１２Ａの周面が一対のサブシャフト摺接面３２４Ａ２１に当接して、支持完了状態になるまで回転する。
このような構成にしても、上記第２実施形態と同様の作用効果を奏することができる。さらに、コイルばね４６３により中間移動部材４６２を介してサブシャフト３１２Ａを付勢するので、コイルばね４６３をサブシャフト３１２Ａに接触させて付勢する構成と比べて、サブシャフト３１２Ａの傷付きを防止できる。【００６９】
さらに、第２実施形態のサブシャフト支持部４２０の代わりに、図１３および図１４に示すような構成を適用してもよい。
この図１３および図１４に示すような光ピックアップ案内装置を構成する回転付勢手段としても機能するガイド支持部としてのサブシャフト支持部４８０は、１個の支持部本体３１３Ａ（図示省略）と、側方移動規制部材４８１と、付勢部材としての板ばね４８２と、を備えている。【００７０】
側方移動規制部材４８１は、長方形板状のガイド端摺接部材としての移動規制基部４８１Ａと、この移動規制基部４８１Ａの両側縁側から面方向と直交する方向へ突出する一対の移動規制側部４８１Ｂと、にて、断面コ字状に形成されている。そして、側方移動規制部材４８１は、移動規制基部４８１Ａおよび一対の移動規制側部４８１Ｂで囲まれる部分に付勢側端突出部４１１が位置する状態で、移動規制基部４８１Ａが取付部２１０Ａに固定されている。【００７１】
板ばね４８２は、四角形板状に形成され略中央にねじ部材４８３が挿通可能な挿通孔４８２Ａ１を有する板ばね取付部４８２Ａと、この板ばね取付部４８２Ａの一側縁から斜め上方に延出する状態で設けられた板ばね付勢部４８２Ｂと、を備えている。この板ばね４８２は、板ばね付勢部４８２Ｂが付勢側端突出部４１１の上方に位置する状態で、挿通孔４８２Ａ１にねじ部材４８３が挿通され、このねじ部材４８３と取付部２１０Ａの螺合孔２１０Ａ２との螺合により取り付けられる。【００７２】
そして、サブシャフト部４１０は、サブシャフト端突出部３１２Ｂが支持部本体３１３Ａ（図示省略）に係合し、かつ、移動規制基部４８１Ａおよび板ばね４８２の間に付勢側端突出部４１１が位置する状態で設けられることにより、サブシャフト支持部４８０で回転可能に支持される。このとき、付勢側端突出部４１１は、一方の半円部４１１Ｂが板ばね４８２に当接し、他方の半円部４１１Ｂが移動規制基部４８１Ａに当接する状態で設けられる。
このようにサブシャフト部４１０がサブシャフト支持部４８０に支持されると、一方の半円部４１１Ｂが板ばね４８２により下方に付勢されて移動する。さらに、一方の半円部４１１Ｂが下方へ移動すると、他方の半円部４１１Ｂが移動規制基部４８１Ａに摺接しつつ板ばね取付部４８２Ａから離れる方向に移動して、付勢側端突出部４１１およびサブシャフト３１２Ａは、図１４の矢印Ｙ３で示す方向へ回転し始め、サブシャフト３１２Ａの周面が一対のサブシャフト摺接面３２４Ａ２１に当接して、支持完了状態になるまで回転する。
このような構成にしても、上記第２実施形態と同様の作用効果を奏することができる。【００７３】
さらに、第２実施形態のサブシャフト支持部４２０の代わりに、図１５に示すような構成を適用してもよい。
この図１５に示すような構成では、光ピックアップ案内装置を構成する回転付勢手段としても機能するガイド支持部としてのサブシャフト支持部４９０は、支持部基部３１３Ａと、支持部４９１と、ねじ取付部４９２と、付勢部材としてのコイルばね４９３と、ガイド端摺接部材としての止めねじ４９４と、サブシャフト部４１０のサブシャフト端突出部３１２Ｂが回動可能に係合される図示しない支持部本体と、を備えている。【００７４】
支持部４９１は、略四角ブロック状に形成されている。この支持部４９１には、第１突出部３１３Ａ２に取り付けられる第１取付面４９１Ａ近傍に位置する状態で、ばね嵌合溝４９１Ｃが設けられている。
また、支持部４９１における第２突出部３１３Ａ３（図示省略）側の側面４９１Ｄには、第１取付面４９１Ａと対向する第２取付面４９１Ｂから第１取付面４９１Ａ近傍にかけて、軸挿通開口部４９１Ｅが開口形成されている。この軸挿通開口部４９１Ｅは、幅寸法が付勢側端突出部４１１の長手方向の寸法、および、ばね嵌合溝４９１Ｃの径寸法よりも大きい形状を有している。また、軸挿通開口部４９１Ｅは、側面視で幅方向中央がばね嵌合溝４９１Ｃの軸よりも、図１５における右側に位置する状態で設けられている。【００７５】
ねじ取付部４９２は、板状に形成され、支持部４９１の第２取付面４９１Ｂに設けられている。このねじ取付部４９２には、ねじ孔４９２Ａが設けられている。そして、このねじ取付部４９２は、ねじ孔４９２Ａの中心が軸挿通開口部４９１Ｅの幅方向中央よりも、図１５における右側に位置する状態で、つまり、ねじ孔４９２Ａおよびばね嵌合溝４９１Ｃの中心がずれる状態で、例えば支持部４９１に取り付けられている。【００７６】
コイルばね４９３は、支持部４９１のばね嵌合溝４９１Ｃに嵌合され、付勢側端突出部４１１における一方の半円部４１１Ｂ近傍に当接可能に設けられている。【００７７】
止めねじ４９４は、止めねじ３１３Ｊと同様の構成を有している。つまり、止めねじ４９４は、先端部４９４Ａと、基端面４９４Ｂと、レンチ係合溝４９４Ｃと、などを備えている。そして、止めねじ４９４は、ねじ取付部４９２のねじ孔４９２Ａに螺合され、付勢側端突出部４１１における他方の半円部４１１Ｂ近傍に当接可能に設けられている。【００７８】
そして、サブシャフト部４１０は、サブシャフト端突出部３１２Ｂが支持部本体に係合し、かつ、コイルばね４９３および止めねじ４９４の間に付勢側端突出部４１１が位置する状態で設けられることにより、サブシャフト支持部４９０で回転可能に支持される。このとき、付勢側端突出部４１１は、一方の半円部４１１Ｂがコイルばね４９３に当接し、他方の半円部４１１Ｂが止めねじ４９４に当接する状態で設けられる。
このようにサブシャフト部４１０がサブシャフト支持部４９０に支持されると、一方の半円部４１１Ｂがコイルばね４９３により下方に付勢されて移動する。さらに、一方の半円部４１１Ｂが下方へ移動すると、他方の半円部４１１Ｂが止めねじ４９４の先端部４９４Ａに摺接しつつ図１５における右方向に移動して、付勢側端突出部４１１およびサブシャフト３１２Ａは、矢印Ｙ４で示す方向へ回転し始め、サブシャフト３１２Ａの周面が一対のサブシャフト摺接面３２４Ａ２１に当接して、支持完了状態になるまで回転する。
このような構成にしても、上記第２実施形態と同様の作用効果を奏することができる。【００７９】
また、第１，第２実施形態、あるいは、上述した変形の構成のサブシャフト３１２Ａの代わりに、図１６に示すようなガイド部材としてのサブシャフト５００Ａを適用してもよい。
この図１６に示すサブシャフト５００Ａは、軸と直交する断面Ｄ４が略Ｄ字形状であり、この断面Ｄ４の最大外径寸法Ｌ２１が摺接面間距離Ｌ０よりも大きく、かつ、最小外径寸法Ｌ２２が摺接面間距離Ｌ０よりも小さい略棒状に形成されている。具体的には、サブシャフト５００Ａの断面Ｄ４は、中心角が鈍角の円弧部５００Ａ１と、この円弧部５００Ａ１の両端を連結する直線部５００Ａ２と、にて、略Ｄ字形状に形成されている。
そして、このようなサブシャフト５００Ａを、図１６に示すように、対向部分寸法Ｌ２３が最小外径寸法Ｌ２２と等しくなる状態に設けて、支持初期状態で支持させた後、図１７に示すように、対向部分寸法Ｌ２３が摺接面間距離Ｌ０と等しくなる状態まで回転させて、支持完了状態で支持させる。【００８０】
また、図１８に示すようなガイド部材としてのサブシャフト５００Ｂを適用してもよい。
この図１８に示すサブシャフト５００Ｂは、軸と直交する断面Ｄ５がサブシャフト３１２Ａの断面Ｄ１よりも細長い略楕円形状であり、この断面Ｄ５の最大外径寸法Ｌ３１が摺接面間距離Ｌ０よりも大きく、かつ、最小外径寸法Ｌ３２が摺接面間距離Ｌ０よりも小さい略楕円棒状に形成されている。具体的には、サブシャフト５００Ｂの断面Ｄ５は、直線部３１２Ａ１よりも短い距離離れて互いに対向する一対の直線部５００Ｂ１と、これら直線部５００Ｂ１の両端側に互いに対向する状態で設けられ半円部３１２Ａ２よりも径寸法が小さい半円部５００Ｂ２と、にて、略楕円形状に形成されている。
そして、このようなサブシャフト５００Ｂを、図１８に示すように、対向部分寸法Ｌ３３が最小外径寸法Ｌ３２と等しくなる状態に設けて、支持初期状態で支持させた後、図１９に示すように、対向部分寸法Ｌ３３が摺接面間距離Ｌ０と等しくなる状態まで回転させて、支持完了状態で支持させる。【００８１】
さらに、図２０に示すようなガイド部材としてのサブシャフト５００Ｃを適用してもよい。
この図２０に示すサブシャフト５００Ｃは、軸と直交する断面Ｄ６が楕円形状であり、この断面Ｄ６の最大外径寸法Ｌ４１が摺接面間距離Ｌ０よりも大きく、かつ、最小外径寸法Ｌ４２が摺接面間距離Ｌ０よりも小さい楕円棒状に形成されている。
そして、このようなサブシャフト５００Ｃを、図２０に示すように、対向部分寸法Ｌ４３が最小外径寸法Ｌ４２と等しくなる状態に設けて、支持初期状態で支持させた後、図２１に示すように、対向部分寸法Ｌ４３が摺接面間距離Ｌ０と等しくなる状態まで回転させて、支持完了状態で支持させる。【００８２】
また、図２２に示すようなガイド部材としてのサブシャフト５００Ｄを適用してもよい。
この図２２に示すサブシャフト５００Ｄは、軸と直交する断面Ｄ７が真円形状の丸棒状に形成された２個の丸軸部材５００Ｄ１を備えている。これら丸軸部材５００Ｄ１は、互いの軸方向が平行となり、かつ、周面が当接する状態で固定されている。このサブシャフト５００Ｄは、このように固定された丸軸部材５００Ｄ１により、最大外径寸法Ｌ５１が摺接面間距離Ｌ０よりも大きく、かつ、最小外径寸法Ｌ５２が摺接面間距離Ｌ０よりも小さい形状に形成されている。
そして、このようなサブシャフト５００Ｄを、図２２に示すように、対向部分寸法Ｌ５３が最小外径寸法Ｌ５２と等しくなる状態に設けて、支持初期状態で支持させた後、図２３に示すように、対向部分寸法Ｌ５３が摺接面間距離Ｌ０と等しくなる状態まで回転させて、支持完了状態で支持させる。【００８３】
これらのようなサブシャフト５００Ａ，５００Ｂ，５００Ｃ，５００Ｄを適用しても、上記第１，第２実施形態と同様の作用効果を奏することができる。
また、断面Ｄ６が楕円形状のサブシャフト５００Ｃを適用すれば、サブシャフト摺接面３２４Ａ２１と摺接する周面が曲面のみで構成されているので、支持初期状態時に曲面をサブシャフト摺接面３２４Ａ２１に当接させることができる。したがって、支持初期状態時に周面を構成する平面がサブシャフト摺接面３２４Ａ２１に当接するサブシャフト３１２Ａ，５００Ａ，５００Ｂなどと比べて、サブシャフト５００Ｃの回転を容易にできる。
さらに、サブシャフト５００Ｄを適用すれば、例えば断面Ｄ１が真円以外の形状のサブシャフト３１２Ａと比べて製造が容易な丸軸部材５００Ｄ１同士を固定するだけに簡単な方法で、サブシャフト５００Ｄを製造できる。【００８４】
そして、サブシャフト３１２Ａの断面の形状としては、三角形状、四角形状などの多角形状としてもよい。【００８５】
その他、本発明の実施の際の具体的な構造および手順は、本発明の目的を達成できる範囲で他の構造などに適宜変更できる。【００８６】
［実施形態の効果］
上述したように、上記実施形態では、ディスク装置１００に、サブシャフト３１２Ａと、このサブシャフト３１２Ａを支持するサブシャフト支持部３１３と、光ピックアップ３３０を保持する保持部本体３２１と、この保持部本体３２１にサブシャフト摺接面３２４Ａ２１が対向する状態で配置された一対の係合摺接部３２４Ａ２と、を設けている。さらに、サブシャフト３１２Ａを、断面Ｄ１が真円以外の形状であり、かつ、最大外径寸法Ｌ１１が摺接面間距離Ｌ０よりも大きい形状に形成して、サブシャフト支持部３１３により、サブシャフト３１２Ａを回転可能に支持させている。
このため、上述したように、サブシャフト３１２Ａを、サブシャフト摺接面３２４Ａ２１との間に隙間Ｋが形成されるようにシャフト係合部３２４Ａに係合させた後に、回転不可能となる状態まで回転させることにより、隙間Ｋをなくす状態にすることができる。したがって、ピックアップ保持部３２０の移動方向と直交する方向へのがたつきを防止するために、従来の構成のように光ピックアップ３３０を保持する保持部本体３２１に特別な構成を設ける必要がないので、ピックアップ保持部３２０の重量化や大型化を招くことがない。よって、光ピックアップ３３０の案内に影響を及ぼすことがなく、光ピックアップ３３０を適切に案内できる。【００８７】
そして、ディスク装置１００に、上述したような光ピックアップ３３０を適切に案内できる構成を設けているので、ピックアップレンズ３３１と光ディスクとの距離を適切に保つことができ、情報処理を適切に実施できる。【００８８】
さらに、処理移動部３１０を製造する際に、サブシャフト３１２Ａを、断面Ｄ１が真円以外の形状であり、かつ、最大外径寸法Ｌ１１が摺接面間距離Ｌ０よりも大きい形状に形成する。そして、このサブシャフト３１２Ａを、シャフト係合部３２４Ａの間において、サブシャフト支持部３１３により回転可能に支持させて支持初期状態にする。この後、回転不可能となる状態まで回転させることにより、隙間Ｋをなくす支持完了状態にする。
このため、上述したように、ピックアップ保持部３２０の移動方向と直交する方向へのがたつきを防止するために、従来の構成のようにピックアップ保持部３２０の重量化や大型化を招くことがなくなる。したがって、光ピックアップ３３０の案内に影響を及ぼすことがなく、光ピックアップ３３０を適切に案内できる処理移動部３１０を製造できる。
【産業上の利用可能性】
【００８９】
本発明は、光ピックアップを案内する光ピックアップ案内装置、その製造方法、および、ディスク装置として利用できる。
【図１】
2008062517.tif 000003
【図２】
2008062517.tif 000004
【図３】
2008062517.tif 000005
【図４】
2008062517.tif 000006
【図５】
2008062517.tif 000007
【図６】
2008062517.tif 000008
【図７】
2008062517.tif 000009
【図８】
2008062517.tif 000010
【図９】
2008062517.tif 000011
【図１０】
2008062517.tif 000012
【図１１】
2008062517.tif 000013
【図１２】
2008062517.tif 000014
【図１３】
2008062517.tif 000015
【図１４】
2008062517.tif 000016
【図１５】
2008062517.tif 000017
【図１６】
2008062517.tif 000018
【図１７】
2008062517.tif 000019
【図１８】
2008062517.tif 000020
【図１９】
2008062517.tif 000021
【図２０】
2008062517.tif 000022
【図２１】
2008062517.tif 000023
【図２２】
2008062517.tif 000024
【図２３】
2008062517.tif 000025
【国際調査報告】
2008062517.tif 000026
2008062517.tif 000027